(57)【要約】【課題】必要に応じて種類が異なる資源ごみを選択して選別することが可能な風力選別機を提供する。【解決手段】粉砕された所定の廃棄物を通過させる本体ダクト１０を設ける。本体ダクト１０に廃棄物を投入するホッパー２０を設ける。廃棄物を選別位置まで通過させる導入ライナー３０を設ける。選別用のエアーを生成する送風機４０を設ける。廃棄物に下からエアーを当てる送風ダクト５０を設ける。廃棄物を排出口まで通過させる排出ライナー６０を設ける。本体ダクト１０の開口面積を調整して廃棄物の量を調整する投入口調整手段を設ける。送風機４０の風量を調整する風量調整手段を設ける。送風ダクト５０から廃棄物に当てるエアーの量を調整するエアー調整手段を設ける。【選択図】  図２
0003213885.tif 000002
【実用新案登録請求の範囲】
【請求項１】
粉砕された所定の廃棄物を内部の傾斜面に通過させる本体ダクトと、該本体ダクトの開口上部に廃棄物を投入するホッパーと、本体ダクトの開口部に投入された廃棄物を選別位置まで通過させる傾斜面を有する導入ライナーと、選別用のエアーを生成する送風機と、導入ライナーで導入された廃棄物に下からエアーを当てる送風ダクトと、選別後の廃棄物を本体ダクトの排出口まで通過させる傾斜面を有する排出ライナーとを備え、粉砕された廃棄物から比重の軽い混入物を選別する風力選別機であって、
本体ダクトの導入ライナー側に設けられ、導入ライナー上の開口面積を調整して導入ライナーを通過する廃棄物の量を調整する投入口調整手段と、
送風機の風量を調整する風量調整手段と、
送風ダクトから廃棄物に当てるエアーの量を調整するエアー調整手段とを備えたことを特徴とする風力選別機。
【請求項２】
前記投入口調整手段は、廃棄物を撹拌して前記本体ダクトの内部に押し込むように構成され前記本体ダクトの開口上部に装着した撹拌羽根と、前記本体ダクトの前記導入ライナー側の開口部にスライド自在に設けられ該本体ダクトの開口部の面積を調整する流入調整板とで構成され、
前記風量調整手段は、前記送風機の吸気口に開閉自在に設置され該送風機に吸引する空気量を調整する空気量調整蓋と、前記送風機の制御盤に設けられ該送風機用のモーターの回転数を調整する制御装置とで構成され、
前記エアー調整手段は、前記送風ダクトの送風口に交換自在に装着され通風口の開口面積を調整する風量調整板にて構成された請求項１記載の風力選別機。
【請求項３】
前記エアー調整手段において、前記排出ライナー側の開口部にスライド自在な整流板を設け、該開口部の面積を調整し、前記送風ダクトから廃棄物に送風されるエアーの流れを変更するように構成した請求項１又は２記載の風力選別機。
【請求項４】
前記エアー調整手段において、前記導入ライナーの下端部に、硬質な廃棄物を上方に跳ね返す角度調整自在なジャンプ板を設け、該ジャンプ板で跳ねた廃棄物に前記送風ダクトからのエアーが吹き付けられるように構成した請求項１乃至３いずれか記載の風力選別機。
【考案の詳細な説明】
【技術分野】
【０００１】
本考案は、主に粉砕された使用済みペットボトルからラベル等を分離する風力選別機に係り、必要に応じて他の資源ごみ等の選別にも使用することが可能な風力選別機に関する。
【背景技術】
【０００２】
一般に、風力を用いた選別機は比重の異なる２種類の物質を選別する際に使用されている。特に資源ごみとして処理されるポットボトルは粉砕された後、風力選別機にてラベル等を分離する処理が行われている。
【０００３】
このように、ペットボトル・瓶・紙類などの資源ごみは、種類別に選別された後、種類別の選別機にて資源ごみに含まれている他の混合物を選別する。例えば、特許文献１に記載されている風力選別機は、軽量のプラスチック類に混入されている粉塵を選別するように構成されたものである。
【０００４】
すなわち、移送管体の上流側から下流側に向けて順次断面積を拡大した導入管部と、この導入管部で減速した廃棄物を落下させるための落下部と、順次断面積を縮小して移送管体に接続される導出管部とを構成することにより、比重の異なる軽量のプラスチック類と粉塵とを選別することができるというものである。
【先行技術文献】
【特許文献】
【０００５】
【特許文献１】特許第３５０６５７７号公報
【考案の概要】
【考案が解決しようとする課題】
【０００６】
ところが、従来の風力選別機では、各選別機で特定の資源ごみを選別するように構成されており、種類が異なる資源ごみを選択して選別することは困難であった。例えば、ペットボトルからラベルを選別する選別機によってガラスから紙類を選別することはできなかった。
【０００７】
しかも、ごみ処理業者が使用している風力選別機は一日中稼働することは少なく、一般に処理場に収集されてきた資源ごみの中から特定の資源ごみを処理した後は、他の資源ごみを別の選別機で選別することになる。そのため、風力選別機の使用時間は極めて少ない状態であった。
【０００８】
そこで、本考案は上述の課題を解消すべく創出されたもので、粉砕された使用済みペットボトルから粉砕されたラベル等を分離することができ、必要に応じて種類が異なる資源ごみを選択して選別することが可能な風力選別機の提供を目的とするものである。
【課題を解決するための手段】
【０００９】
上述の目的を達成すべく本考案の第１の手段は、粉砕された所定の廃棄物を内部の傾斜面に通過させる本体ダクト１０と、該本体ダクト１０の開口上部に廃棄物を投入するホッパー２０と、本体ダクト１０の開口部に投入された廃棄物を選別位置まで通過させる傾斜面を有する導入ライナー３０と、選別用のエアーを生成する送風機４０と、導入ライナー３０で導入された廃棄物に下からエアーを当てる送風ダクト５０と、選別後の廃棄物を本体ダクト１０の排出口まで通過させる傾斜面を有する排出ライナー６０とを備え、粉砕された廃棄物から比重の軽い混入物を選別する風力選別機であって、本体ダクト１０の導入ライナー３０側に設けられ、導入ライナー３０上の開口面積を調整して導入ライナー３０を通過する廃棄物の量を調整する投入口調整手段と、送風機４０の風量を調整する風量調整手段と、送風ダクト５０から廃棄物に当てるエアーの量を調整するエアー調整手段とを備えたことにある。
【００１０】
第２の手段において、前記投入口調整手段は、廃棄物を撹拌して前記本体ダクト１０の内部に押し込むように構成され前記導入ライナー３０の開口上部に装着した撹拌羽根３１と、前記本体ダクト１０の前記導入ライナー３０側の開口部にスライド自在に設けられ該本体ダクト１０の開口部の面積を調整する流入調整板３２とで構成され、
前記風量調整手段は、前記送風機４０の吸気口に開閉自在に設置され該送風機４０に吸引する空気量を調整する空気量調整蓋４１と、前記送風機４０の制御盤に設けられ該送風機４０用のモーター７０の回転数を調整する制御装置４２とで構成され、
前記エアー調整手段は、前記送風ダクト５０の送風口に交換自在に装着され通風口の開口面積を調整する風量調整板５１にて構成されたものである。
【００１１】
第３の手段は、前記エアー調整手段において、前記排出ライナー６０側の開口部にスライド自在な整流板６１を設け、該開口部の面積を調整し、前記送風ダクト５０から廃棄物に送風されるエアーの流れを変更するように構成したものである。
【００１２】
第４の手段は、前記エアー調整手段において、前記導入ライナー３０の下端部に、硬質な廃棄物を上方に跳ね返す角度調整自在なジャンプ板３３を設け、該ジャンプ板３３で跳ねた廃棄物に前記送風ダクト５０からのエアーが吹き付けられるように構成したものである。
【考案の効果】
【００１３】
本考案の請求項１によると、投入口調整手段と、風量調整手段と、エアー調整手段とを備えたことにより、粉砕された使用済みペットボトルから粉砕されたラベル等を分離するのみならず、必要に応じて種類が異なる資源ごみ等を選択して混入物を選別することが可能になるものである。
【００１４】
請求項２のごとく、撹拌羽根３１と流入調整板３２とで構成する投入口調整手段により、搬送時に塊状に固まった廃棄物を撹拌羽根３１で砕いて再び粉砕状態に戻した状態で、流入調整板３２に導入する廃棄物の量を適量に調整することができる。
更に、空気量調整蓋４１と制御装置４２とで構成する風量調整手段により、送風機４０の風量を任意に調整することができる。
そして、風量調整板５１にて構成されたエアー調整手段によって、廃棄物の種類、形態、重量等に応じて廃棄物に当てる風量を調整することで、分別する混入物に最適な選別が可能になる。
【００１５】
請求項３のように、整流板６１を備えたエアー調整手段により、廃棄物と選別する混入物との比重が近い場合でも、廃棄物に当てるエアーの量やエアーの流れを微調整することで、より確実な選別が可能になる。
【００１６】
請求項４のごとく、角度調整自在なジャンプ板３３を備えたエアー調整手段によると、例えば、ガラス材に混入した紙類の如く、選別する物質の比重が極端に異なる場合でも、より確実な選別が可能になる。
【図面の簡単な説明】
【００１７】
【図１】本考案の一実施例を示す斜視図である。
【図２】本考案の主要構成部を示す概略側面図である。
【図３】本考案の一実施例を示す正面図である。
【図４】本考案の撹拌羽根の一実施例を示す一部省略正面図である。
【図５】（イ）、（ロ）は、本考案の風量調整板の一実施例を示す斜視図である。
【考案を実施するための形態】
【００１８】
本考案によると、必要に応じて種類が異なる資源ごみを選択して選別することが可能になるなどといった当初の目的を達成した。
【００１９】
以下、本考案の実施例を説明する。本考案選別機は、例えば、粉砕されたペットボトル等の廃棄物から風力を利用して比重の軽いラベル等の混入物を選別する風力選別機である。
【００２０】
本考案の基本的な構成として、本体ダクト１０、ホッパー２０、導入ライナー３０、送風機４０、送風ダクト５０、排出ライナー６０を備えたものである。そして、これらの構成に加え、本考案では、投入口調整手段と、風量調整手段と、エアー調整手段とを備えることで、種類が異なる廃棄物を選択して混入物を選別できるように構成したものである。
【００２１】
すなわち、本体ダクト１０は傾斜した略角筒状の構造部材で、粉砕された所定の廃棄物を内部の傾斜面に通過させるように構成している（図２参照）。この本体ダクト１０の内部には、後述する導入ライナー３０や送風機４０等を備えている。
【００２２】
ホッパー２０は、本体ダクト１０の開口上部に廃棄物を投入する部位で、ベルトコンベヤ１００等で運ばれた廃棄物をこのホッパー２０にて受けた後、ホッパー２０から本体ダクト１０内に排気物を投入する（図１参照）。このホッパー２０と本体ダクト１０の開口上部との境界部分に撹拌羽根３１が装着されている（図２参照）。この撹拌羽根３１は、廃棄物を撹拌して前記本体ダクト１０の内部にコントロールして送り込むように構成されたものである。図示の撹拌羽根３１は、電動モーター９０にて回転する回転軸３１Ａの周囲に、複数の羽根３１Ｂを平行に設けたものである（図４参照）。尚、図示のホッパー２０は、内部を確認する扉２１や廃棄物を押えるすだれゴム２２を設けたものである（図２参照）。
【００２３】
導入ライナー３０は、本体ダクト１０の開口部に投入された廃棄物を選別位置まで導入する傾斜面を有する樋状又は板状の部材である（図２参照）。この導入ライナー３０側の本体ダクト１０に流入調整板３２が設けられている。この流入調整板３２は、導入ライナー３０の上にスライド自在に設けられており、導入ライナー３０上の開口部の面積を調整することで、導入ライナー３０を通過する廃棄物の量を調整する。
【００２４】
本考案の投入口調整手段は、これら撹拌羽根３１と流入調整板３２とで構成する。すなわち、粉砕された廃棄物は移動中に塊状に固まっている場合があるので、撹拌羽根３１でこの塊状の廃棄物を撹拌し、バラバラになった廃棄物を本体ダクト１０の開口上部内に押し込む。そして、流入調整板３２により導入ライナー３０を通過する廃棄物の量を調整することで、適当な量の廃棄物を選別位置まで導入するものである。
【００２５】
送風機４０は、導入ライナー３０にて選別位置まで導入された廃棄物に選別用のエアーを生成する機材で、制御盤８０にて制御されるモーター７０にて稼働する。送風機４０の吸気口には空気量調整蓋４１が開閉自在に設置されている。この空気量調整蓋４１は、送風機４０に吸引する空気量を調整する部材である。一方、制御盤８０には、電動モーター７０の回転数を調整する制御装置４２が備えられている。
【００２６】
本考案風量調整手段は、これら空気量調整蓋４１と制御装置４２とで構成する。すなわち、空気量調整蓋４１により送風機４０が吸引する空気の吸引量を調整しながら、制御装置４２により電動モーター７０の回転数を調整することで、選別用エアーの生成量を調整するものである。
【００２７】
送風ダクト５０は、導入ライナー３０で導入された廃棄物に下から選別用のエアーを当てる部位である。図示の送風ダクト５０は、送風機４０からエアーホース４３を介して連結されており、導入ライナー３０と排出ライナー６０との間に形成した開口部の真下に送風口を配置している（図２参照）。この送風ダクト５０の送風口に風量調整板５１が装着されている。この風量調整板５１を介して廃棄物に当たったエアーが、軽量の混入物を吹き上げて分離し、混入物用ダクト１１を介して排出する。この風量調整板５１は、通風口の開口面積が異なる複数の風量調整板５１が予め準備されている（図５参照）。
【００２８】
図示の風量調整板５１は矩形状を成している。同図（イ）の風量調整板５１は、一側縁に沿って１個の矩形状の開口部５１Ａを開穿している。また、同図（ロ）の風量調整板５１は、２条の開口部５１Ａを平行に開穿したものである。このように、開口部５１Ａの位置や開口面積を変更した風量調整板５１を複数用意しておくことで、選択した廃棄物に適応した量のエアーを当てることができる。尚、図示例では、風量調整板５１の交換を容易にするために把手５１Ｂを設けている。
【００２９】
本考案エアー調整手段の一つは、この風量調整板５１を交換することで、送風ダクト５０から廃棄物に当てる選別用のエアーの量を調整するものである。
【００３０】
また、本考案エアー調整手段では、後述する排出ライナー６０側の本体ダクト１０開口部にスライド自在に設けた整流板６１を使用することも可能である。すなわち、この整流板６１のスライド位置により、本体ダクト１０の排出ライナー６０側の開口部の面積を調整することで、送風ダクト５０から廃棄物に送風されるエアーの対流方向を変更するものである。本考案エアー調整手段の二つ目は、このような選別用エアーの対流方向等を微調整することも可能である。
【００３１】
更に、エアー調整手段では、ジャンプ板３３を使用する調整も行える。すなわち、導入ライナー３０の下端部に角度調整自在なジャンプ板３３を設け、このジャンプ板３３にて例えばガラス等の硬質な廃棄物を上方に跳ね返す調整になる。すなわち、送風ダクト５０からのエアーが吹き付けられる位置上方に廃棄物を跳ね返すと、落下するまでの間、廃棄物に選別用のエアーが当たる時間が長くなる。しかも、ジャンプ板３３にて跳ね返った廃棄物は、回転しながらエアーが吹き付けられることになる。このようなジャンプ板３３を使用したエアー調整手段では、例えば、粉砕されたガラスに巻き付いた紙材などを選別するのに好適な調整が可能になる。
【００３２】
排出ライナー６０は、選別後の廃棄物を本体ダクト１０の排出口まで通過させる傾斜面を有する樋状の部材である。この排出ライナー６０により、比重の軽い混入物が選別用のエアーで分離された排気物が排出口まで通過し、目的の資源ごみが選別されるものである。一方、比重の軽い混入物は、選別用のエアーと共に混入物用ダクト１１から金網状の金属ダクト１２を介して外部に排出される（図３参照）。金属ダクト１２は、４面に金網が設けてあるので、この排出部にビニール袋等の密封容器を取り付けても、排出エアーは滞ることなく、網目から排出される。この結果、送風機で生成されたエアーの流れを円滑にすることができる。
【００３３】
尚、本考案の各構成は図示例に限定されるものではなく、本考案の要旨を変更しない範囲で任意に構成を変更することが可能であり、例えば、本考案を車両に搭載することも可能である。
【符号の説明】
【００３４】
１０  本体ダクト
１１  混入物用ダクト
１２  金属ダクト
２０  ホッパー
２１  扉
２２  すだれゴム
３０  導入ライナー
３１  撹拌羽根
３２  流入調整板
３３  ジャンプ板
４０  送風機
４１  空気量調整蓋
４２  制御装置
４３  エアーホース
５０  送風ダクト
５１  風量調整板
６０  排出ライナー
６１  整流板
７０  電動モーター
８０  制御盤
９０  電動モーター
１００  ベルトコンベヤ
【図１】
0003213885.tif 000003
【図２】
0003213885.tif 000004
【図３】
0003213885.tif 000005
【図４】
0003213885.tif 000006
【図５】
0003213885.tif 000007